【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
孔壁によって規定される受け孔（２０）を有するプラスチック材料製の支持部材（２）と、
中心軸（Ｍ）を有するコア（８）と雄ネジ部（１０）とを有するプラスチック材料製のネジ付きエレメント（４、６）とを含み、該雄ネジ部は、ネジ付きエレメントを支持部材（２）の受け孔（２０）の壁内へねじ込むと、切削及び／又は変形によって受け孔（２０）内に雌ネジ部（２６）を形成し、
ネジ付きエレメント（４、６）の前記雄ネジ部（１０）は、複数巻回に渡って延び且つ軸方向断面において丸みを付けた山の頂（３１）によって連結されている直線的なフランク（３０）を有する形状のネジ山（１１）を有し、
ネジ付きエレメント（４，６）の前記コア（８）は、ネジ（１１）の巻回間に、軸方向断面において、丸みを付けた隅部（２１）によってネジ山（１１）のフランク（３０）に連結されている円筒形外表面（３２）を有し、
ネジ（１１）の巻回は、ネジ山（１１）の体積よりも大きい体積の螺旋状間隙を巻回間に規定する、結合組立体。
【請求項２】
前記ネジ山（１１）のフランク（３０）がなすネジ山角度（α）が３０°〜５０°、好ましくは約４０°である、請求項１に記載の結合組立体。
【請求項３】
支持部材（２）が前記雌ネジ部（２６）を形成するために実質的に切削を必要とする材料からなっている場合、前記雄ネジ部（１０Ａ）のネジ（１１）山の形状が、
Ｐ＝（０．１６〜０．９）・ＤA
Ｚ＝（０．１５〜０．５）・Ｐ
Ｒ1＝（０．４〜０．７）・Ｚ
Ｒ2＝（０．５〜０．５）・Ｚ
（式中、Ｐはネジ（１１）のピッチ、Ｚはネジ山（１１）の高さ、Ｒ1は丸みを付けた山の頂（３１）の曲率半径、Ｒ2はコア（８）の円筒形外表面（３２）とネジ山（１１）のフランク（３０）との間の丸みを付けた隅部（３３）の曲率半径、ＤAはネジ（１１）の外径である）
で規定される、請求項１又は２に記載の結合組立体。
【請求項４】
Ｐ、Ｚ、Ｒ1、及びＲ2が、
Ｐ＝０．２５・ＤA
Ｚ＝０．３８・Ｐ
Ｒ1＝０．６・Ｚ
Ｒ2＝０．３５・Ｚ
である、請求項３に記載の結合組立体。
【請求項５】
支持部材（２）が前記雌ネジ部（２６）を形成するために実質的に変形を必要とする材料からなっている場合、前記雄ネジ部（１０Ｂ）のネジ山（１１）の形状が、
Ｐ＝（０．２５〜０．９）・ＤA
Ｚ＝（０．３５〜０．６５）・Ｐ
Ｒ1＝（０．２５〜０．５）・Ｚ
Ｒ2＝（０．２５〜０．５）・Ｚ
（式中、Ｐはネジ（１１）のピッチ、Ｚはネジ山（１１）の高さ、Ｒ1は丸みを付けた山の頂（３１）の曲率半径、Ｒ2はコア（８）の円筒形外表面（３２）とネジ山（１１）のフランク（３０）との間の丸みを付けた隅部（３３）の曲率半径、ＤAはネジ（１１）の外径である）
で規定される、請求項１又は２に記載の結合組立体。
【請求項６】
Ｐ、Ｚ、Ｒ1、及びＲ2が、
Ｐ＝０．３３・ＤA
Ｚ＝０．５５・Ｐ
Ｒ1＝０．３・Ｚ
Ｒ2＝０．３・Ｚ
である、請求項５に記載の結合組立体。
【請求項７】
ネジ山（１１）の形状が、請求項４又は６に記載した形状であり、細目ネジとするために、直径ＤAを大きくし、ピッチ／外径比＝Ｐ／ＤAを低くした、請求項１〜６のいずれか１項に記載の結合組立体。
【請求項８】
前記雄ネジ部（１０）が、ピッチ／外径比＝Ｐ／ＤAを上げた複数のネジを含む、請求項３又は５に記載の結合組立体。
【請求項９】
前記ネジ付きエレメント（４、６）は、複数のアンギュラーセグメント（３４ａ、３４ｂ）を含み、該セグメントは、ラジアル平面において、曲率中心（Ｍａ、Ｍｂ）が中心軸（Ｍ）に対して半径方向にオフセットしたアーチ形の外周を有しており、隣接するアンギュラーセグメントの外周が段状にオフセットして、ネジ付きエレメントを支持部材の受け孔内へねじ込む際に切削を行う切れ刃（３６）を形成している、請求項１〜８のいずれか1項に記載の結合組立体。
【請求項１０】
前記アンギュラーセグメント（３４ａ、３４ｂ）のネジ（１１）のアーチ形の外周と、中心軸（Ｍ）上に中心を有する仮想外接円（Ｋ）とが、逃げ角βをなす、請求項９に記載の結合組立体。
【請求項１１】
前記逃げ角（β）が０．５°〜５°、好ましくは０．５°〜２°、特に好ましくは１°である、請求項１０に記載の結合組立体。
【請求項１２】
アンギュラーセグメント（３４ａ、３４ｂ）のアーチ形外周の曲率中心（Ｍａ、Ｍｂ）が、ネジ付きエレメント（４、６）の中心軸（Ｍ）に対して反対方向に距離Ｘだけオフセットしており、
ＤNenn≦８mmの場合は、Ｘ＝０．１０mm
ＤNenn＞８mm且つＤNenn≦１２mmの場合は、Ｘ＝０．１５mm
ＤNenn＞１２mmの場合は、Ｘ＝０．２０mm
（式中、ＤNennはアンギュラーセグメント（３４ａ、３４ｂ）のネジ（１１）のアーチ形外周の曲率半径（Ｒ）の２倍である）
である、請求項９〜１１のいずれか１項に記載の結合組立体。
【請求項１３】
支持部材（２）が前記雌ネジ部（２６）を形成するために実質的に切削を必要とする材料からなっている場合、前記アンギュラーセグメント（３４ａ、３４ｂ）のネジ（１１）がそれぞれ、ネジ付きエレメント（４、６）の全長に渡って延び、関連する切れ刃（３６）を長くする切り屑溝（３８）を有する、請求項９〜１２のいずれか１項に記載の結合組立体。
【請求項１４】
支持部材（２）が前記雌ネジ部（２６）を形成するために実質的に変形を必要とする材料からなっている場合、前記アンギュラーセグメント（３４ａ、３４ｂ）のネジ（１１）が切り屑溝を有していない、請求項９〜１２のいずれか１項に記載の結合組立体。
【請求項１５】
支持部材（２）の受け孔（２０）が、ネジ付きエレメント（４、６）のネジ（１１）の外径（ＤA）と少なくとも同じ大きさである直径（Ｄ2）の座ぐり（２２）を有している、請求項１〜１４のいずれか１項に記載の結合組立体。
【請求項１６】
ネジ付きエレメント（４、６）のネジ（１１）のリード角が、ネジ付きエレメント（４、６）をなすプラスチック材料及び支持部材（２）をなすプラスチック材料のセルフロッキング角度より小さい、請求項１〜１５のいずれか１項に記載の結合組立体。
【請求項１７】
雌ネジ部（２６）を形成する際に、ネジ付きエレメント（４、６）のコア（８）の外表面（３２）がいかなる変形作用をも受けることがないように、支持部材（２）の受け孔（２０）の直径（Ｄ1）が、ネジ付きエレメント（４、６）のネジ（１１）に適合してある、請求項１〜１６のいずれか１項に記載の結合組立体。
【請求項１８】
ネジ付きエレメント（４、６）の軸方向自由端に、所定の面取り角（γ）及び所定の切削直径（ＤF）を有する切削面取り部（４０）を含む円錐状先端領域（１８）を設けてなる、請求項１〜１７のいずれか１項に記載の結合組立体。
【請求項１９】
支持部材（２）が前記雌ネジ部（２６）を形成するために実質的に切削を必要とする材料からなっている場合、前記面取り部（４０）の面取り角（γ）が約２０°であり、切削直径（ＤF）が、ネジ山（１１）の外径（ＤA）の約０．７倍である、請求項１８に記載の結合組立体。
【請求項２０】
前記先端領域（１８）が、高さがネジ（１０Ａ）のピッチ（Ｐ）の約２倍、深さがネジ（１０Ａ）のネジ山高さ（Ｚ）の実質的に３倍であるチップポケット（４２）を有する、請求項１９に記載の結合組立体。
【請求項２１】
支持部材（２）が前記雌ネジ部（２６）を形成するために実質的に変形を必要とする材料からなっている場合、前記面取り部（４０）の面取り角（γ）が約３０°であり、切削直径（ＤF）が、ネジ（１０Ｂ）の外径（ＤA）の約０．５倍である、請求項１８に記載の結合組立体。
【請求項２２】
前記先端領域（１８）がチップポケットを有していない、請求項２１に記載の結合組立体。
【請求項２３】
ネジ付きエレメントが、軸部と頭部（１２）とを有するネジ（４）である、請求項１〜２２のいずれか１項に記載の結合組立体。
【請求項２４】
ネジ付きエレメントのコア（８）の外表面（３２）が、丸みを付けた端部（Ｒa、Ｒb）を有する円錐状外表面（４４）を含む移行領域（１４）によって前記頭部（１２）に連結している、請求項２３に記載の結合組立体。
【請求項２５】
ネジ付きエレメントのコア（８）と頭部（１２）との間の前記移行領域（１４）の壁厚（Ｗ）が、コア（８）の外表面（３２）の直径の半分よりも大きい、請求項２４に記載の結合組立体。
【請求項２６】
軸部と頭部（１２）との間の前記移行領域（１４）の外表面に、軸平面に配置したセンターリブ（４６）が設けられ、該センターリブは、支持部材（２）をさらなる部材（３）にネジ付きエレメントによって連結する際に、該さらなる部材（３）の貫通孔（２４）の壁と係合する、請求項２４又は２５に記載の結合組立体。
【請求項２７】
前記ネジの頭部（１２）の底面が、頭部が半径方向外側領域において実質的に円形の線接触（４８）をするように凹所を有する、請求項２３〜２６のいずれか１項に記載の結合組立体。
【請求項２８】
前記ネジ付きエレメントが、雌ネジ（５０）を有するネジ付きスリーブ（６、６ａ）である、請求項１〜２２のいずれか１項に記載の結合組立体。
【請求項２９】
前記ネジ付きスリーブ（６ａ）が、前記雌ネジ（５０）に加えて内側ドライブ手段（５２）を有している、請求項２８に記載の結合組立体。
【請求項３０】
前記ネジ付きエレメント（４、６）が、実質的に耐熱性、剛性、及び強度を有する高耐久性プラスチック材料からなり、この耐久性が支持部材（２）をなすプラスチック材料よりも高い、請求項１〜２９のいずれか１項に記載の結合組立体。
【請求項３１】
前記高耐久性プラスチック材料が、ポリフタルアミド−GF（PPA-GF）、ポリフタルアミド−GFに基づくコポリアミド、ポリエーテルイミド−GF（PEI−GF）、ポリエーテルエーテルケトン−GF（PEEK-GF）、若しくはガラス繊維強化ポリアミド、炭素繊維強化ポリフタルアミド、炭素繊維強化及びガラス繊維強化ポリフタルアミド、炭素繊維強化ポリフタルアミドに基づくコポリアミド、炭素繊維強化及びガラス繊維強化ポリフタルアミドに基づくコポリアミド、又はデュロメリック(duromeric)プラスチック材料である、請求項３０に記載の結合組立体。
【請求項３２】
請求項１〜３１のいずれか1項に記載の結合組立体のためのネジ又はネジ付きスリーブを含むプラスチック材料製のネジ付きエレメントであって、該ネジ付きエレメントは、中心軸（Ｍ）を有するコア（８）と雄ネジ部（１０）とを有し、該雄ネジ部は、ネジ付きエレメントを支持部材（２）の受け孔（２０）の壁内へねじ込むと、切削及び／又は変形によって受け孔（２０）内に雌ネジ部（２６）を形成し、
ネジ付きエレメント（４、６）の前記雄ネジ部（１０）は、複数巻回に渡って延び且つ軸方向断面において丸みを付けた山の頂（３１）によって連結されている直線的なフランク（３０）を有する形状のネジ山（１１）を有し、
ネジ付きエレメント（４，６）の前記コア（８）は、ネジ（１１）の巻回間に、軸方向断面において、丸みを付けた隅部（２１）によってネジ山（１１）のフランク（３０）に連結されている円筒形外表面（３２）を有し、
ネジ（１１）の巻回は、ネジ山（１１）の体積よりも大きい体積の螺旋状間隙を巻回間に規定する、ネジ付きエレメント。
【手続補正２】
【補正対象書類名】明細書
【補正対象項目名】０００９
【補正方法】変更
【補正の内容】
【０００９】
ネジ付きエレメントの雄ネジは、請求項９に記載する特定の切削形状を有するものであってもよい。この切削形状の特定の実施態様を請求項１０〜１４に記載する。ネジ付きエレメントの雄ネジのさらなる詳細を請求項１５〜１７に記載する。
【手続補正３】
【補正対象書類名】明細書
【補正対象項目名】００１２
【補正方法】変更
【補正の内容】
【００１２】
別の態様として、ネジ付きエレメントは、請求項２８及び２９に記載するように、ネジ付きスリーブであってもよい。このネジ付きスリーブを支持部材の受け孔にねじ込むためには、後述する特別の工具を使用することが好ましい。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】